(57)【要約】【課題】  調整型泥落としマットの提供。【解決手段】  集塵マット、摩擦フットボード、固定部品を具えた調整型泥落としマットにおいて、該摩擦フットボードが一体成形された金属製品とされ、成形後の表面に多重色系の立体文字ブロック、止滑条を具え、四周の角部に穿孔が設けられ、組合せ時に、固定部品で摩擦フットボード、集塵マットが固定される。本考案の泥落としマットは文字ブロック、止滑条により靴底の泥を削ぎ落とすだけでなく、止滑の効果も達成し、且つ文字ブロックの様式、色彩を変換できる設計により、異なる属性の場所に合わせて改変可能とされている。【選択図】        図２
0003109918.tif 000002
【実用新案登録請求の範囲】
【請求項１】
集塵マット、摩擦フットボード、固定部品を具え、
該集塵マットの表面に整然と配列された複数の集塵溝が文字ブロック、底部に複数の止滑凸粒が文字ブロック、周囲に粘着帯が縫い付けられ、
該固定部品がネジとナットを包含する調整型泥落としマットにおいて、
該摩擦フットボードが一体成形された金属製品とされ、成形後の表面は多重色系の立体文字ブロック、止滑条を具え、四周の角部に穿孔が設けられ、
組合せ時に、ネジが摩擦フットボードの穿孔内に通され、さらに摩擦フットボードが集塵マットの上方に置かれ、ネジが集塵マットの集塵溝に通された後にナットで固定されて、泥落としマットが形成されることを特徴とする、調整型泥落としマット。
【請求項２】
請求項１記載の調整型泥落としマットにおいて、任意の自動車内部、住居、商店入口に使用可能であることを特徴とする、調整型泥落としマット。
【請求項３】
請求項１記載の調整型泥落としマットにおいて、摩擦フットボードが使用者の必要な放置距離により、集塵マット上の設置位置を調整可能であることを特徴とする、調整型泥落としマット。
【請求項４】
請求項１記載の調整型泥落としマットにおいて、摩擦フットボードが多種類の異なる規格の形状とされうることを特徴とする、調整型泥落としマット。
【請求項５】
請求項１記載の調整型泥落としマットにおいて、摩擦フットボードの文字ブロックの様式が多種類の異なる様式で現出されうることを特徴とする、調整型泥落としマット。
【請求項６】
請求項１記載の調整型泥落としマットにおいて、摩擦フットボードの止滑条が多種類の異なる線型に変化可能であることを特徴とする、調整型泥落としマット。
【請求項７】
請求項１記載の調整型泥落としマットにおいて、摩擦フットボードの全体色彩が多種類の色彩の混合組合せとされうることを特徴とする、調整型泥落としマット。
【請求項８】
請求項１記載の調整型泥落としマットにおいて、摩擦フットボードが任意の単層、２層の泥落としマット或いは絨毯に取り付け可能とされたことを特徴とする、調整型泥落としマット。
【考案の詳細な説明】
【技術分野】
【０００１】
本考案は調整型泥落としマットに係り、特に、摩擦フットボードの立体文字ブロック、止滑条により靴底の泥を削ぎ落とすだけでなく、止滑の効果も達成し、且つ文字ブロックの様式、色彩を変換できる設計により、異なる属性の場所に合わせて改変可能である、調整型泥落としマットに関する。
【背景技術】
【０００２】
人々が外出する時は、靴を履いて足を保護し、足裏と地面の摩擦を減らし、並びに足を清潔に保ち、また疲労を低減する。走行時に靴底は長時間地面に接触するために多かれ少なかれ地面の砂、泥或いは汚物が付着し、自動車内或いは室内の清潔を保持するために、通常、自動車内或いは玄関先に泥落としマットが置かれ、靴底の砂や石或いは灰塵を削ぎ落とすのに供される。
【０００３】
周知の泥落としマットの表面にはパターンが設けられ、そのパターンは印刷方式でマット表面に形成される。泥落としマットを使用する時、靴底を泥落としマットの表面で反復摩擦して靴底の汚れや泥を排除する。ただしこの動作はマット表面のパターン、色彩を摩損、色褪せさせるほか、その表面を凹ませ、その損壊率は非常に高く、ゆえに実用性に欠ける。
【０００４】
且つ周知の泥落としマットの表面は平面で、凸塊の設計がなく、靴底の泥や汚れを削ぎ落とす機能が有限であり、確実に靴底をきれいにすることができない。このほか、靴底に対する止滑の作用を達成できない。
【考案の開示】
【考案が解決しようとする課題】
【０００５】
本考案は、周知の泥落としマットにおける、泥や汚れを削ぎ落とす時に、泥落としマットの表面のパターン、色彩を摩損、色褪せさせやすく、集塵、清潔能力が低く、洗浄に不便で、単一様態設計である問題に対して、良好な使用機能を有し、広い使用者の要求に符合する泥落としマットを提供するものである。
【０００６】
本考案は一種の調整型泥落としマットを提供し、それは、集塵マット、摩擦フットボード、固定部品を具え、該集塵マットの表面、底部に複数の整然と配列された集塵溝、止滑凸粒が設けられ、その周囲の辺縁に粘着帯が縫い付けられ、固定部品はネジとナットを具えた調整型泥落としマットにおいて、摩擦フットボードが一体成形された金属製品とされ、成形後の表面に多重色系の立体文字ブロック、止滑条を具え、四周の角部に穿孔が設けられ、組合せ時に、ネジが摩擦フットボードの穿孔に通され、更に摩擦フットボードが集塵マットの上方に置かれ、ネジが集塵マットの集塵溝に通された後にナットで固定されたことにある。
【０００７】
ゆえに、本考案の目的は、靴底の泥や汚れを削ぎ落としやすく調整型泥落としマットを提供することにあり、それは、摩擦フットボードの文字ブロック、色彩が一体成形により形成され、ゆえに何度も重複して摩擦を受けてもその文字ブロック、止滑条の色彩が摩損せず、極めて良好な耐磨耗性を有するものとする。また、摩擦フットボードは金属製とされ、摩損や凹みを形成しにくく、淘汰率が低く、長い使用寿命を有し、経済的であるものとする。該文字ブロック、止滑条は美観を有し、且つ靴底の汚れや泥を削ぎ落とすことができ、止滑の効果を向上する。
【課題を解決するための手段】
【０００８】
請求項１の考案は、集塵マット、摩擦フットボード、固定部品を具え、
該集塵マットの表面に整然と配列された複数の集塵溝が文字ブロック、底部に複数の止滑凸粒が文字ブロック、周囲に粘着帯が縫い付けられ、
該固定部品がネジとナットを包含する調整型泥落としマットにおいて、
該摩擦フットボードが一体成形された金属製品とされ、成形後の表面は多重色系の立体文字ブロック、止滑条を具え、四周の角部に穿孔が設けられ、
組合せ時に、ネジが摩擦フットボードの穿孔内に通され、さらに摩擦フットボードが集塵マットの上方に置かれ、ネジが集塵マットの集塵溝に通された後にナットで固定されて、泥落としマットが形成されることを特徴とする、調整型泥落としマットとしている。
請求項２の考案は、請求項１記載の調整型泥落としマットにおいて、任意の自動車内部、住居、商店入口に使用可能であることを特徴とする、調整型泥落としマットとしている。
請求項３の考案は、請求項１記載の調整型泥落としマットにおいて、摩擦フットボードが使用者の必要な放置距離により、集塵マット上の設置位置を調整可能であることを特徴とする、調整型泥落としマットとしている。
請求項４の考案は、請求項１記載の調整型泥落としマットにおいて、摩擦フットボードが多種類の異なる規格の形状とされうることを特徴とする、調整型泥落としマットとしている。
請求項５の考案は、請求項１記載の調整型泥落としマットにおいて、摩擦フットボードの文字ブロックの様式が多種類の異なる様式で現出されうることを特徴とする、調整型泥落としマットとしている。
請求項６の考案は、請求項１記載の調整型泥落としマットにおいて、摩擦フットボードの止滑条が多種類の異なる線型に変化可能であることを特徴とする、調整型泥落としマットとしている。
請求項７の考案は、請求項１記載の調整型泥落としマットにおいて、摩擦フットボードの全体色彩が多種類の色彩の混合組合せとされうることを特徴とする、調整型泥落としマットとしている。
請求項８の考案は、請求項１記載の調整型泥落としマットにおいて、摩擦フットボードが任意の単層、２層の泥落としマット或いは絨毯に取り付け可能とされたことを特徴とする、調整型泥落としマットとしている。
【考案の効果】
【０００９】
本考案は以下のような長所を有している。
１．泥落としマットの摩擦フットボードが使用者の必要に応じて、集塵マット上で設置位置を任意に調整可能である。
２．泥落としマットの摩擦フットボードが金属製品であるため、摩損、凹みを発生しにくく、淘汰率が低く、長い使用寿命を有し、経済的な製品である。
３．摩擦フットボードの文字ブロック、色彩が一体成形により形成され、ゆえに何度も重複して摩擦を受けてもその文字ブロック、止滑条の色彩が摩損せず、極めて良好な耐磨耗性を有する。
４．摩擦フットボードの文字ブロック、止滑条が美観を有するのみならず、靴底の泥や汚れの削ぎ落としと止滑の効果を有する。
５．摩擦フットボードの外形が多種類の異なる形状、外形の設計とされ得て、これにより多元化の視覚を提供でき、その文字ブロックは多種類の様式、色彩の変化が可能で、多種類の異なる風格の泥落としマットとされ得る。上述の設計により、消費者は購入時に比較的覆い選択性を有し、これにより購入意欲がかき立てられる。
６．摩擦フットボードが単層、２層の泥落としマットに任意に固定可能であり、極めて高い実用価値を有する。このほか、任意の自動車内部、住まい、商店入口に使用されうる。
【考案を実施するための最良の形態】
【００１０】
図１乃至図４は本考案の調整型泥落としマットの立体外観図、立体分解図、表示図、半断面図である。これらの図に示されるように、本考案の調整型泥落としマット１は、集塵マット１０、摩擦フットボード２０、固定部品３０を具えている。該集塵マット１０の表面、底部に整然と配列された複数の集塵溝１０１、止滑凸粒１０２が設けられ、その四周辺縁に粘着帯１０３が縫い付けられている。該固定部品３０はネジ３０１とナット３０２を包含する。本考案の特徴は、摩擦フットボード２０が一体成形の金属製品とされ、成形後の表面は多重色系の立体文字ブロック２０１、止滑条２０２を具え、四周の角部に穿孔２０３が設けられている。
【００１１】
組合せ時に、ネジ３０１が摩擦フットボード２０の穿孔２０３に通され、更に摩擦フットボード２０が集塵マット１０の上方に置かれ、ネジ３０１が集塵マットの集塵溝１０１に通された後にナット３０２で固定され、こうして調整型泥落としマット１が形成される。
【００１２】
図５から図９は本考案の調整型泥落としマットの実施例１、２、３、４を示す。
【００１３】
調整型泥落としマット１は、自動車内部、住まい、商店の入口前に置かれ、摩擦フットボード２０は使用者の必要に応じて、集塵マット１０上の設置位置が自由に調整される。この摩擦フットボード２０は多種類の異なる規格の形状とされ得て、その文字ブロック２０１の様式は多種類の異なる様式を以て現出されうる。止滑条２０２の線型もまた多種類の異なる線型に改変可能である。且つ摩擦フットボード２０の全体色彩もまた多種類の色彩の混合、組合せとされうる。該摩擦フットボード２０は単層、或いは二層の泥落としマット４０或いは絨毯５０の上に固定されうる。
【００１４】
総合すると、本考案は十分に表面の耐磨耗性、色褪せしない調整型泥落としマットを提供し、それは実用価値と進歩性を有し、その全体の組合せ及び空間形態は新規性を有する。なお、以上の実施例は本考案の範囲を限定するものではなく、以上の実施例及び図面の記載に基づきなしうる設計的事項はいずれも本考案の請求範囲に属するものとする。
【図面の簡単な説明】
【００１５】
【図１】本考案の調整型泥落としマットの立体外観図である。
【図２】本考案の調整型泥落としマットの立体分解図である。
【図３】本考案の調整型泥落としマットの表示図である。
【図４】本考案の調整型泥落としマットの半断面図である。
【図５】本考案の調整型泥落としマットの実施例一の表示図である。
【図６】本考案の調整型泥落としマットの実施例二の表示図である。
【図７】本考案の調整型泥落としマットの実施例三の表示図である。
【図８】本考案の調整型泥落としマットの実施例三の断面図である。
【図９】本考案の調整型泥落としマットの実施例四の表示図である。
【符号の説明】
【００１６】
１  泥落としマット      １０  集塵マット
１０１  集塵溝          １０２  止滑凸粒
１０３  粘着帯          ２０  摩擦フットボード
２０１  文字ブロック    ２０２  止滑条
２０３  穿孔            ２０  固定部品
３０１  ネジ            ３０２  ナット
４０  泥落としマット    ５０  絨毯
【図１】
0003109918.tif 000003
【図２】
0003109918.tif 000004
【図３】
0003109918.tif 000005
【図４】
0003109918.tif 000006
【図５】
0003109918.tif 000007
【図６】
0003109918.tif 000008
【図７】
0003109918.tif 000009
【図８】
0003109918.tif 000010
【図９】
0003109918.tif 000011